(57)【特許請求の範囲】
【請求項１】
通常印刷時のウェブパスラインの垂直線に対し、中心を結ぶ線が所定の角度だけ傾くよう設定された２つの胴を有する印刷装置を備えたオフセット輪転機等の印刷機において、
ウェブ走行方向に沿って並設された複数の印刷装置のうちの第１の印刷装置の上流側，隣接する２つの印刷装置の中間及び最終印刷装置の下流側にそれぞれ配設され、該ウェブの走行経路を通常印刷する経路と、該各印刷装置の胴抜き時に該２つの胴の隙間を通り且つ該２つの胴に接触しない経路とに変更する経路変更手段と、
該ウェブ走行経路の変更を所定のタイミングで変更するべく該経路変更手段を作動させる制御手段とをそなえ、
該経路変更手段は、該各印刷装置の上流側と下流側とにそれぞれ配設され、該ウェブ横幅方向に掛け渡され、該２つの胴に接触しない経路に変更する際に該ウェブに接触するウェブ支持体と、該各ウェブ支持体を昇降移動させるアクチュエータとをそなえ、該上流側のウェブ支持体及び該下流側のウェブ支持体の一方を上昇させ、他方を下降させて、該通常印刷する経路と該２つの胴に接触しない経路とに変更するように構成されている
ことを特徴とする、印刷機の紙パス変更装置。
【請求項２】
該経路変更手段が、該各印刷装置の上流側と下流側とにそれぞれ配設され該ウェブ横幅方向に掛け渡されたウェブ支持体と、印刷機フレーム側に固設されたストッパとをそなえ、
該経路変更手段の作動時に、該ウェブ支持体と該ストッパとで該ウェブが挟持されるように構成されている
ことを特徴とする、請求項１記載の印刷機の紙パス変更装置。
【請求項３】
オフセット輪転機等の印刷機において、ウェブ走行方向に沿って並設された複数の印刷装置のうちの第１の印刷装置の上流側，隣接する２つの印刷装置の中間及び最終印刷装置の下流側にそれぞれ配設され、該ウェブの走行経路を通常印刷する経路と、該各印刷装置の胴抜き時に２つの胴の隙間を通り且つ該２つの胴に接触しない経路とに変更する経路変更手段と、
該ウェブ走行経路の変更を所定のタイミングで変更するべく該経路変更手段を作動させる制御手段とをそなえ、
該経路変更手段は、該各印刷装置の上流側と下流側とにそれぞれ配設され該ウェブ横幅方向に掛け渡されたウェブ支持体と、印刷機フレーム側に固設されたストッパとをそなえ、該経路変更手段の作動時に、該ウェブ支持体と該ストッパとで該ウェブが挟持されるように構成されている
ことを特徴とする、印刷機の紙パス変更装置。
【請求項４】
第１印刷装置の上流側及び最終印刷装置の下流側にそれぞれ単独のモータで駆動されるウェブ移送手段をそなえた
ことを特徴とする、請求項１〜３のいずれか１項に記載の印刷機の紙パス変更装置。
【発明の詳細な説明】
【０００１】
【発明の属する技術分野】
本発明は、オフセット輪転機等の印刷機におけるウェブの走行経路（紙パス）を変更するようにした、印刷機の紙パス変更装置に関するものである。
【０００２】
【従来の技術】
図８は商業用オフセット輪転機に設備された印刷装置部における従来の課題を説明するための図、図９は商業用オフセット輪転機の全体の概略構成を説明する模式図である。
一般的な商業用オフセット輪転機は、図９に示す如く主な構成ユニットとしてウェブ供給装置１４、ウェブ１の走行方向に沿って並設された複数組の印刷装置２ａ〜２ｎ（以下、特に区別しない場合には単に印刷装置２という）、乾燥装置３０、冷却装置１７、ウェブパス装置１８及び折機１９等をそなえて構成されている。上記各ユニット（装置）は、それぞれクラッチ３１を介して、１本の駆動シャフト３２に連結されており、１台の駆動モータＭを介し、全てが所定のタイミングで互いに連動して作動するように構成されている。なお、図中の１５はロールスタンド、１６はインフィード装置、２７は駆動ローラ、２８は押さえローラである。
【０００３】
また、商業用オフセット輪転機には、上記以外の駆動形式として、各ユニットに各々独立したモータを設け、各ユニットが単独で駆動できるよう構成したものもある（図示省略）。
前記構成のもと、ウェブ供給装置１４に設けた巻き取り紙３３から供給されたウェブ１は、上記並設された印刷装置２ａ〜２ｎ群を順次通過する途上において所定の多色印刷が施され、さらに乾燥装置３０，冷却装置１７へ送り込まれて乾燥，冷却等の処理が施される。
【０００４】
続いて、ウェブ１は折機１９へ移送され、所定位置で折り畳みや裁断等が行われ、目的とする形状の折帳に加工された後、排紙装置３４を介して外部へ搬出されることになる。
また、前記ウェブ供給装置１４から印刷装置２ａ〜２ｎ群へ送り込まれるウェブ１には所定の張力（テンション）が付加されており、また、最終印刷装置２ｎで印刷を終えたウェブ１にも印刷装置２ｎから下流の乾燥装置３０及び冷却装置１７へ送り込まれる間において、所定の張力が付加されている。
【０００５】
【発明が解決しようとする課題】
ここで、従来の技術の課題について図８を参照しながら説明する。
従来のオフセット輪転機では、所定時間輪転機を停止させた後再度印刷を開始させるに当たり、版胴３５へ巻着させた刷版３６やブランケット胴（印刷胴）６等にインキを転移供給させる場合や、印刷装置２を暖機運転させる場合、或いは所定の印刷を終えた後、同じウェブ１を使用し絵柄のみを変更する場合の刷版３６の差し替え交換や清掃作業を行なう場合は、ウェブ１を通紙したまま版胴３５及びブランケット胴６を空転させることが多い。
【０００６】
これまで上記の種々の作業を行なう場合、図８に示す如く、ウェブ１は、ブランケット胴６外周面に接触しているため、図中※印部で示すように、残留するインキの粘性によって、ウェブ１がブランケット胴６へ付着して取られ（引き付けられ）、ブランケット胴６の外周面に巻き付くといった課題があった。
このため、（１）ウェブ１が破断して、通紙をやり直す必要が発生するのみならず、ウェブ１がブランケット胴６に多量に巻き付いて、ブランケット胴６と版胴３５との隙間が設定値以上になり、ブランケット胴６や版胴３５の軸が破損するなど、種々のトラブルの原因となる。
【０００７】
（２）上記課題に対処する手段としては、ウェブ１を予め切断しておき、印刷装置２部における設定が完了した後再度通紙することも考えられる。しかし、この方法では初期準備に時間がかかり、不良紙（損紙）が増加することになる。
（３）また、紙切れが発生しなくても前記ウェブ１の弛んだ状態から印刷を再開した場合、ウェブ１の走行状態が安定するまでに長い時間がかかり、この場合も大量の損紙が発生する事になる。
【０００８】
（４）インキ供給を事前に行なうべく、図示しないインキローラ群を単独で運転するための単独駆動装置を設けた機種もあるが、このような装置は製造原価の大幅な上昇を招くことになる。
（５）暖機のための空転を行なわないようにした場合には、生産量が少なくなる場合がある等の問題があった。
【０００９】
また、上記の問題に対処する手段として、印刷装置群の前後、つまり、第１印刷装置２ａの上流側と最終印刷装置２ｎの下流側とにウェブ固定装置を設け、通紙したウェブ１を所定の張力を付加した状態で固定する装置も提案されている。
しかしながら、このような装置は、ウェブ１がブランケット胴６に接触した状態で固定されるものであるため、印刷開始に際して供給されたインキがウェブ面に転移したり、洗浄に供した洗浄液が図示しないブランケット締めつけ装置部の溝から飛び出してウェブ１上の一部に集中して吹きつけられ、ウェブ強度が弱くなって破断するというおそれがある。
【００１０】
本発明はこのような課題に鑑み創案されたもので、オフセット輪転機等における印刷装置部に設備され、印刷開始に際してブランケット胴へのインキ転移供給や暖機運転や印刷装置の設定変更，保守点検及び整備等にともなうブランケット胴の空転に対して、ウェブの走行経路を該ブランケット胴と接触しない位置に変更し、通紙したウェブの断紙を防止できるようにした、印刷機の紙パス変更装置を提供することを目的とする。
【００１１】
【課題を解決するための手段】
このため、本発明の印刷機の紙パス変更装置は、通常印刷時のウェブパスラインの垂直線に対し、中心を結ぶ線が所定の角度だけ傾くよう設定された２つの胴を有する印刷装置を備えたオフセット輪転機等の印刷機において、ウェブ走行方向に沿って並設された複数の印刷装置のうちの第１印刷装置の上流側，隣接する２つの印刷装置の中間及び最終印刷装置の下流側にそれぞれ配設され、該ウェブの走行経路を通常印刷する経路と、該各印刷装置の胴抜き時に２つの胴の隙間を通り且つ該２つの胴に接触しない経路とに変更する経路変更手段と、該ウェブ走行経路の変更を所定のタイミングで変更するべく該経路変更手段を作動させる制御手段とをそなえ、該経路変更手段は、該各印刷装置の上流側と下流側とにそれぞれ配設され、該ウェブ横幅方向に掛け渡され、該２つの胴に接触しない経路に変更する際に該ウェブに接触するウェブ支持体と、該各ウェブ支持体を昇降移動させるアクチュエータとをそなえ、該上流側のウェブ支持体及び該下流側のウェブ支持体の一方を上昇させ、他方を下降させて、該通常印刷する経路と該２つの胴に接触しない経路とに変更するように構成されていることを特徴としている。
【００１２】
該経路変更手段は、該各印刷装置の上流側と下流側とにそれぞれ配設され該ウェブ横幅方向に掛け渡されたウェブ支持体と、印刷機フレーム側に固設されたストッパとをそなえ、該経路変更手段の作動時に、該ウェブ支持体と該ストッパとで該ウェブが挟持されるように構成されることが好ましい。
また、本発明の印刷機の紙パス変更装置は、オフセット輪転機等の印刷機において、ウェブ走行方向に沿って並設された複数の印刷装置のうちの第１の印刷装置の上流側，隣接する２つの印刷装置の中間及び最終印刷装置の下流側にそれぞれ配設され、該ウェブの走行経路を通常印刷する経路と、該各印刷装置の胴抜き時に２つの胴の隙間を通り且つ該２つの胴に接触しない経路とに変更する経路変更手段と、該ウェブ走行経路の変更を所定のタイミングで変更するべく該経路変更手段を作動させる制御手段とをそなえ、該経路変更手段が、該各印刷装置の上流側と下流側とにそれぞれ配設され該ウェブ横幅方向に掛け渡されたウェブ支持体と、印刷機フレーム側に固設されたストッパとをそなえ、該経路変更手段の作動時に、該ウェブ支持体と該ストッパとで該ウェブが挟持されるように構成されていることを特徴としている。
【００１３】
該第１印刷装置の上流側及び該最終印刷装置の下流側にそれぞれ単独のモータで駆動されるウェブ移送手段をそなえることが好ましい。
【００１４】
【発明の実施の形態】
以下、図面により、本発明の実施形態について説明する。
（Ａ）第１実施形態の説明
まず、本発明の第１実施形態にかかる紙パス変更装置について説明すると、図１はその全体構成の概略を示す模式図であって、本装置を商業用オフセット輪転機に適用した場合の模式図、図２及び図３はともにその要部構成を示す模式図である。
【００１５】
図１に示すように、両面印刷を施す商業用オフセット輪転機には、ウェブ（印刷用紙）１の走行方向に沿って印刷装置２ａ〜２ｎ群が並設されており、このうち最上流側の第１印刷装置２ａよりも上流側と、隣接する２つの印刷装置２の中間部と、最終印刷装置２ｎの下流側とに、それぞれウェブ１の走行経路を変更するための経路変更手段３８が設けられている。
【００１６】
この経路変更手段３８は、ウェブ１の走行経路を挟んで上下にそれぞれ配設された紙ガイド（ウェブ支持体）３をそなえ、該紙ガイド３を昇降させることにより通紙したウェブ１の走行経路を変更するよう構成されている。各紙ガイド３は、ローラ又はバー（棒状物）等により構成され、装置横幅方向（ウェブ１の横幅方向）全域に亘って掛け渡されている。なお、紙ガイド３はウェブ１との摩擦係数を向上させるべく外周面にゴム４をライニング（貼着）させた構造としてもよいし、ダイヤ目５を形成した構造としても良い〔図３（ａ）参照〕。
【００１７】
ところで、２つのブランケット胴６ａ，６ｂを互いに離隔させる（以下、胴抜きという）と、図２に示すように、ブランケット胴６ａとブランケット胴６ｂとの間に所定の隙間Ｓが形成される。
本発明は、上記隙間Ｓに着目したものであり、図２に実線で示すように、胴抜き時には、経路変更手段３８が作動して、ウェブ１がウェブパスラインの上下に対設された印刷装置２のブランケット胴６ａ，６ｂの中心を結んだ線の中点を通り、且つ該線に対し直角方向にウェブ１が走行するように紙ガイド３の位置が変更されるようになっている。また、通常印刷時等には、一点鎖線で示すように、経路変更手段３８が非作動状態になり、ウェブ１が水平に走行するのに支障のない位置となるように設定されている。
【００１８】
また、このような経路変更手段３８の作動状態，非作動状態は図示しない検知装置で検知されるようになっており、この検知装置からの情報は後述する制御装置２４に入力されるようになっている。
なお、このような形式の印刷機は、一般に、図示するように、上側ブランケット胴６ａ及び下側ブランケット胴６ｂの中心を結ぶ線が、ウェブパスラインの垂直線に対し所定の角度θだけ傾くように設定されている。これは、印刷時にウェブ１が上下ブランケット胴６ａ，６ｂに所定の角度巻き付いている方が安定して印刷できるためである。
【００１９】
このため、図２に示すように、胴抜きした状態（隙間Ｓが存在する状態）でウェブ１にテンションを与えて水平に走行させると、ブランケット胴６ａ，６ｂに接触するか、もしくは接触に近い状態となる。
これに対して、本装置では、図２に実線で示すように、ブランケット胴６ａ，６ｂの胴抜き時に、経路変更手段３８が作動してウェブ１がブランケット胴６ａ，６ｂと接触しないようにウェブ１の走行経路が変更されるようになっているのである。
【００２０】
ウェブ１の走行経路を変更する走行経路変更手段３８としては、種々の機構（形式）を適用することができる。以下、その一例について説明する。
図３（ｂ）に示すように、印刷機の両幅端に位置するフレーム７ａに取り付けられたブラケット８に軸受け９を介して支点軸１０ａが軸支され、該支点軸１０ａにアーム１１ａが固設されている。なお、図３（ｂ）では、印刷機のフレーム７ａの一方の側のみを示し、このフレーム７ａに対向する他方の側については図示を省略しているが、他方の側についても同様に構成されている。
【００２１】
そして、対向する２つのアーム１１ａのそれぞれ対応する端部には２本の紙ガイド（ウェブ支持部材）３が平行に掛け渡された状態で固定されている。また、支点軸１０ａの軸端にはそれぞれ軸回動手段（アクチュエータ）としてモータ１２が具備されており、対向する２つのモータ１２が互いに連動して駆動されるようになっている。
【００２２】
なお、上述以外にもラック或いはリンクとエアシリンダや油圧シリンダとを適宜組み合わせる等、支点軸１０ａを回動させる手法としては種々の機構を採用することができる。
また、回動手段の応用例として、上記支点軸１０ａの位置をウェブ走行経路の上側または下側に配置することにより、上記支点軸１０ａを印刷機の幅方向に連続する一本の軸で供用することもできる（図示省略）。
【００２３】
また、上記モータ１２は制御手段としての制御装置（又はコントローラ）２４によりその作動が制御されるようになっている。このコントローラ２４には図示しない紙パス変更操作開始釦や紙パス変更操作終了釦等、種々のセンサやスイッチが接続されており、ブランケット胴６ａ，６ｂの胴抜き時等の所定のタイミングで、経路変更手段３８を作動させてウェブ１の走行経路を変更するようになっている。
【００２４】
本発明の第１実施形態にかかる印刷機の紙パス変更装置は、上述のように構成されているので、同一のウェブ１を使用しながら新たに別印刷を開始する場合には、ウェブ１を通したままの状態での印刷前準備（例えば、刷版３６の交換作業、印刷胴６ａ，６ｂへのインキ供給作業、印刷装置２の暖機運転及び印刷装置２の設定変更や清掃作業等）に際して、胴抜き時にまず図示しない紙パス変更操作開始釦を操作する。
【００２５】
これにより、経路変更手段３８のモータ１２が作動してアーム１１ａが駆動され、紙ガイド３が、図２中一点鎖線で示す非作動状態から実線で示す作動状態となる。つまり、この場合には、経路変更手段３８が、図３（ａ）の左側に示すような紙ガイド３がウェブ１から離れた状態（非作動状態）から、図３（ａ）の右側に示すような紙ガイド３がウェブ１に接する状態（作動状態）となり、ウェブ１の走行経路が変更されるのである。
【００２６】
そして、上述により、ウェブ１に所定の張力が作用したまま、ウェブ１がウェブパスライン上下に位置するブランケット胴６ａ、６ｂから離れた非接触状態となる。この状態で、印刷装置２のみクラッチ（図９の符号３１参照）を接続し印刷前準備の各種運転を行なう。
なお、印刷開始に当たって行なう作業、つまり、印刷前準備としての初期インキ供給、印刷装置２ａ〜２ｎの暖機、設定変更（刷版の差し替え交換等）等の作業時には、印刷装置２ａ〜２ｎ以外のユニット、つまり、インフィード装置，冷却装置，ウェブパス装置及び折機（それぞれ図９の符号１６，１７，１８，１９参照）等々のクラッチを切るか又は別の手段により駆動を停止させ、ウェブ１に所定の張力を付加した状態で印刷前準備が行われる。
【００２７】
そして、印刷前準備運転が終了した後、やはり図示しない紙パス変更操作終了釦を操作する。これにより、各装置のクラッチが接続され、インフィード装置の押えローラ２８を逃がした状態のままで、印刷機を低速回転させながらモータ１２が起動して、紙ガイド３が非作動状態となる。そして、この状態で印刷機を止めて準備運転が完了する。
【００２８】
したがって、このときには、ウェブ供給装置（図９の符号１４参照）のブレーキ力がウェブ１に作用し、このブレーキ力に応じたテンションがウェブ１にかかった状態で準備運転が終了する。
本発明の第１実施形態の印刷機の紙パス変更装置は、上記の如く構成され、かつ機能するものであり、ウェブ１の搬送を停止させた状態で、且つウェブ１をブランケット胴６ａ，６ｂに対し非接触の状態で、該ブランケット胴６ａ，６ｂ等の一連の印刷胴を支障なく空転させる事が可能となり、ウェブ１がブランケット胴６ａ，６ｂに付着してブランケット胴６の外周面に巻き付くような事態を回避することができる。
【００２９】
したがって、印刷終了毎にウェブ１を切断し、印刷開始時紙通しをする必要がなくなる。このため、損紙の量を減少させる事ができ、準備作業時間の短縮出来るといった効果が得られる。
また、準備運転等の後印刷を再開するに当たり、ウェブ１が切れることなく、準備運転終了後もウェブ１にたるみがない状態になっているので、ウェブ１の走行の立ち上がりが早く短時間で印刷稼動（生産）状態に入れるため、損紙の低減が図れる等、種々の効果を得ることができる。
（Ｂ）第２実施形態の説明
次に、本発明の第２実施形態にかかる印刷機の紙パス変更装置について説明すると、図４（ａ），（ｂ）はその要部構成を示す模式図であって、（ａ）はその側面図、（ｂ）は（ａ）におけるＧ矢視図である。
【００３０】
本第２実施形態は、前記第１実施形態に対し経路変更手段３８の構成が異なっており、経路変更手段３８以外は上記第１実施形態と同様に構成されている。なお、上記第１実施形態と同様に構成された部位については同じ符号を付し、その説明を省略する。
図４（ａ）に示すように、本第２実施形態にかかる印刷機の紙パス変更装置では、ウェブパスラインの上下両側においてウェブ１の走行方向と直行する方向に移動する紙ガイド２３が設けられている。そして、紙ガイド２３を駆動させるための昇降手段としてエアシリンダ（アクチュエータ）２０ａが設けられている。
【００３１】
ここで、図４（ｂ）を用いて昇降手段についてさらに説明する。なお、図４（ｂ）では、印刷機の幅方向の一方の側しか図示されていないが、他方の側も同様に構成されており、幅方向で対象に構成されている。
さて、上記エアシリンダ２０ａは、装置の幅方向の両端において、フレーム７ａにブラケット８を介して固設されている。各エアシリンダ２０ａのヘッド部には、ブラケット８に固設されたレール２１ａに沿って上下方向に案内される移動ブロック２２ａが設けられており、紙ガイド２３の両端部は、上記幅方向両側の移動ブロック２２ａにそれぞれ支持されている。
【００３２】
また、両側のエアシリンダ２０ａは制御装置２４からの制御信号により連動して昇降するように構成されている。
なお、紙ガイド２３としては、第１実施形態と同様に、移動ブロック２２ａに回転可能に軸支させたローラでも良く、また、移動ブロック２２ａに固設されたバー（棒状物）でも良い。また、紙ガイド２３の表面は、前記第１実施形態と同様に、摩擦係数を高める目的で、ゴム４を貼着させてもよいし、或いは、ダイヤ目５等を加工形成させた構造としてもよい。
【００３３】
また、第１実施形態、第２実施形態の応用例として各実施形態の構成要素の一部を適宜組み合わせた構造としても良い（図示省略）。
本発明の第２実施形態にかかる印刷機の紙パス変更装置は、上述の如く構成されたもので、本第２実施形態においても、経路変更手段３８の機能は第１実施形態と同様であり、また、経路変更手段３８の作動タイミング及びブランケット胴６ａ，６ｂ等を空転させる場合の操作制御方法、例えばクラッチを介して印刷装置２部以外の駆動を停止させる等についても第１実施形態と同様である。したがって、第１実施形態と同様の効果を得ることができる。
【００３４】
さらに、本第２実施形態の印刷機の紙パス変更装置では、狭い設置スペースに対しても比較的容易に本装置を組み込む事ができるため、設計の自由度が拡大できる等の効果がある。
（Ｃ）第３実施形態の説明
次に、本発明の第３実施形態にかかる印刷機の紙パス変更装置について説明すると、図５はその要部構成を示す模式図であって、（ａ）はその上面図、（ｂ）はその側面図、図６はその機能，作用及び効果を説明するための図である。
【００３５】
本第３実施形態は、図５（ａ），（ｂ）に示す如く、前記した第１実施形態或いは第２実施形態の経路変更手段３８に対し、第１印刷装置２ａの上流側及び最終印刷装置２ｎの下流側において、ウェブ１を走行方向前後に移動させるウェブ搬送装置（ウェブ移送手段）２５を付加して構成されたものである。また、ウェブ搬送装置２５は制御装置２４により適宜のタイミングでその作動が制御されるようになっている。
【００３６】
なお、これ以外は、上述の第１実施形態又は第２実施形態と同様に構成されており、対応する部材については同じ符号を付して詳しい説明を省略する。
図５（ａ），（ｂ）に例示した２組のウェブ搬送装置２５，２５は、それぞれモータ２６が連結された駆動ローラ２７と、自由に回転することのできる押さえローラ２８とをそなえて構成されている。
【００３７】
駆動ローラ２７は、装置幅方向両側のフレーム７ａ、７ｂに固設されたブラケット８、８に軸支され、また、押さえローラ２８は、該ブラケット８，８に支持されたアクチュエータにより上下方向に移動可能に構成されている。したがって、駆動ローラ２７と押さえローラ２８とが通紙したウェブ１を介して接離できるようになっている。
【００３８】
押さえローラ２８を駆動ローラ２７へ接離させるアクチュエータとしては、ここでは、図５（ｂ）に示すように、エア（又は、油圧）シリンダ２０が適用されている。押さえローラ２８は、エアシリンダ２０に連結された軸受け２９に軸支されており、これによりエアシリンダ２０を作動させることで押さえローラ２８を直接移動させるようになっている。
【００３９】
また、上記以外にも、押さえローラ２８を軸受け２９に軸支させるとともに、軸受け２９を図示しないアーム先端に固設し、モータやシリンダを介してアームを揺動移動させたり、或いは、マグネットを利用してアームを移動させる等々種々多様な手法を適用することができる（図示省略）。
本発明の第３実施形態にかかる印刷機の紙パス変更装置は前項の如く構成されたもので、同一のウェブ１を使用しながら新たに別印刷を開始する場合には、以下のように作動する。まず、ブランケット胴６ａ、６ｂが胴抜きされた状態（胴間に隙間Ｓが存在する状態）で、経路変更手段３８を作動させて紙ガイド３を移動させ、前記第１実施形態及び第２実施形態と同様に通紙したウェブ１の走行経路を変更し、ウェブ１を上下に位置するブランケット胴（印刷胴）６ａ、６ｂから離隔させる。
【００４０】
この時、ウェブ１の経路長が長くなるので、最終印刷装置２ｎの下流側のウェブ搬送装置２５のアクチュエータ２０を作動させて駆動ローラ２７と押さえローラ２８とを当接させウェブ１を保持するとともに、駆動ローラ２７にブレーキをかけておく。また、第１印刷装置２ａの上流側のウェブ搬送装置２５の駆動ローラ２７と押さえローラ２８とを当接させて駆動ローラ２７を駆動し、経路長が長くなる量だけウェブ１を送り出す。これにより、ウェブ１が破断することなく適度の張力が作用するように制御する。
【００４１】
その後、印刷装置２のクラッチ（図９の符号３１参照）を接続し、準備作業を行なう。準備作業終了後、各装置のクラッチを接続し、紙ガイド３を非作動状態に戻しながら、印刷装置２の下流側駆動系を駆動し、紙ガイド３が作動位置から非作動位置に変わった時にウェブ１の経路長さが短縮される分に相当する量以上ウェブ１の送り出しを行なう。なお、この送り出しは、最終印刷装置２ｎの下流側のウェブ搬送装置２５におけるモータ２６を駆動することで行なわれる。
【００４２】
これにより、ウェブ１には、ウェブ供給装置（図９の符号１４参照）のブレーキ力に応じたウェブテンションが作用する。
また、紙ガイド３を作動状態にし、印刷機の印刷準備運転を行なう時、ウェブ１上へ洗浄液又はインキが飛散する場合がある。このような場合には、図６に示すように、第１印刷装置２ａの上流部と最終印刷装置２ｎの下流部に設けられたウェブ搬送装置２５のモータ２６を駆動して、低速度でウェブ進行方向へウェブ１を移動させたり（矢印ｂ参照）、特定の量だけウェブ１の進行方向と逆方法に往復させる（矢印ａ参照）等の運転をすることにより、集中的にウェブ１が汚れたり、断紙等が発生したりするのを防止することができる。
【００４３】
以上詳述したように、本発明の第３実施形態にかかる印刷機の紙パス変更装置によれば、印刷の再開に当たり、前準備としてのインキ供給、暖機等におけるブランケット胴６ａ，６ｂ等の空転に際し、通紙されたウェブ１の位置を移動させることにより、前記第１，第２実施形態の作用、効果に加え、ブランケット胴６ａ，６ｂの洗浄に供した洗浄液等がブランケット締め付け装置部の溝から飛び出しても、ウェブ走行方向の特定部分に洗浄液等が集中してかかるといった不具合がなくなる。このため、ウェブ１上へ局部的に弱い部分ができるようなことがなくなり、ウェブ１が破断するおそれがなくなる等の効果が得られる。
（Ｄ）第４実施形態の説明
次に、本発明の第４実施形態にかかる印刷機の紙パス変更装置について説明すると、図７はその要部構成を示す模式的な側面図である。
【００４４】
本第４実施形態は、第１実施形態の経路変更手段３８がウェブ１の経路を変更するのみであるのに加え、ウェブ１の経路を変更した時、即ち、経路変更手段３８が作動状態の時、ウェブ１にブレーキをかけるように構成したものである。
なお、これ以外は、上述の第１実施形態と同様に構成されており、対応する部材については同じ符号を付して詳しい説明を省略する。
【００４５】
さて、図７に示すように、本第４実施形態では、経路変更手段３８を作動状態にした時に、紙ガイド（ウェブ支持体）３が図示しない印刷機フレーム側に固設されたストッパ１３に当接して、ウェブ１が紙ガイド３とストッパ１３との間で挟持されるようになっている。
なお、ここでは、各印刷装置２の上流側及び下流側でそれぞれウェブ１を保持するように構成した例を示しているが、オフセット輪転機に設備された印刷装置２ａ〜２ｎ群の前後、つまり第１印刷装置２ａの上流側及び最終印刷装置２ｎの下流側のみ、ストッパ１３と紙ガイド３とでウェブ１を挟持してウェブ位置を固定し、他の部分はストッパ１３をアーム（第１実施形態の図３の符号１１ａ参照）の位置決めのみに使用することもできる（図示省略）。
【００４６】
したがって、本発明の第４実施形態にかかる印刷機の紙パス変更装置によれば、第１実施形態と同様の作用・効果が得られるほか、経路変更手段３８が作動状態の時、ウェブ１のテンションを安定した状態に保つことができるという効果がある。
なお、本発明の印刷機の紙パス変更装置は、上記各実施形態の構成に限定されるものではなく、各実施形態を適宜組み合わせる等、本発明の趣旨を逸脱しない範囲内において種々変更を加え得るものである。
【００４７】
【発明の効果】
以上詳述したように、本発明の印刷機の紙パス変更装置によれば、通常印刷時のウェブパスラインの垂直線に対し、中心を結ぶ線が所定の角度だけ傾くよう設定された２つの胴を有する印刷装置を備えたオフセット輪転機等の印刷機において、ウェブ走行方向に沿って並設された複数の印刷装置のうちの第１の印刷装置の上流側，隣接する２つの印刷装置の中間及び最終印刷装置の下流側にそれぞれ配設され、該ウェブの走行経路を通常印刷する経路と、該各印刷装置の胴抜き時に２つの胴の隙間を通り且つ該２つの胴に接触しない経路とに変更する経路変更手段と、該ウェブ走行経路の変更を所定のタイミングで変更するべく該経路変更手段を作動させる制御手段とをそなえ、該経路変更手段は、該各印刷装置の上流側と下流側とにそれぞれ配設され、該ウェブ横幅方向に掛け渡され、該２つの胴に接触しない経路に変更する際に該ウェブに接触するウェブ支持体と、該各ウェブ支持体を昇降移動させるアクチュエータとをそなえ、該上流側のウェブ支持体及び該下流側のウェブ支持体の一方を上昇させ、他方を下降させて、該通常印刷する経路と該２つの胴に接触しない経路とに変更するという構成により、同じウェブを用いて印刷を再開する際にウェブが印刷胴に付着して巻き付くといった事態を確実に回避することができる利点がある。
【００４８】
また、これにより、印刷終了毎にウェブを切断し、印刷開始時紙通しをする必要がなくなり、損紙の量を減少させる事ができる利点があるほか、準備作業時間の短縮できるという利点がある。また、準備運転等の後印刷を再開するに当たり、ウェブが切れることもなく、準備運転終了後もウェブにたるみがない状態になっているので、ウェブの走行の立ち上がりが早く短時間で印刷稼動状態（生産状態）に入れるため、損紙の低減が図れるという利点がある。
【００４９】
上記の構成に加えて、該経路変更手段が、該各印刷装置の上流側と下流側とにそれぞれ配設され該ウェブ横幅方向に掛け渡されたウェブ支持体と、印刷機フレーム側に固設されたストッパとをそなえ、該経路変更手段の作動時に、該ウェブ支持体と該ストッパとで該ウェブが挟持されるという構成により、ウェブのテンションを安定した状態に保つことができるという利点がある。
【００５０】
また、本発明のもう１つの印刷機の紙パス変更装置によれば、オフセット輪転機等の印刷機において、ウェブ走行方向に沿って並設された複数の印刷装置のうちの第１の印刷装置の上流側，隣接する２つの印刷装置の中間及び最終印刷装置の下流側にそれぞれ配設され、該ウェブの走行経路を通常印刷する経路と、該各印刷装置の胴抜き時に２つの胴の隙間を通り且つ該２つの胴に接触しない経路とに変更する経路変更手段と、該ウェブ走行経路の変更を所定のタイミングで変更するべく該経路変更手段を作動させる制御手段とをそなえ、該経路変更手段が、該各印刷装置の上流側と下流側とにそれぞれ配設され該ウェブ横幅方向に掛け渡されたウェブ支持体と、印刷機フレーム側に固設されたストッパとをそなえ、該経路変更手段の作動時に、該ウェブ支持体と該ストッパとで該ウェブが挟持されるという構成により、ウェブのテンションを安定した状態に保つことができるという利点がある。
【００５１】
上記のいずれかの構成に加えて、第１印刷装置の上流側及び最終印刷装置の下流側にそれぞれ単独のモータで駆動されるウェブ移送手段をそなえるという構成により、印刷胴の洗浄に供した洗浄液等がウェブにかかっても、走行方向の特定部分に洗浄液等が集中してかかることがなくなる。このため、ウェブ上へ局部的に弱い部分ができるようなことがなくなり、ウェブの破断を防止することができるという利点がある。
【図面の簡単な説明】
【図１】本発明の第１実施形態にかかる印刷機の紙パス変更装置の概略全体構成を示す模式図であって、商業用オフセット輪転機に適用した場合の模式図である。
【図２】本発明の第１実施形態にかかる印刷機の紙パス変更装置の要部構成を示す模式図である。
【図３】本発明の第１実施形態にかかる印刷機の紙パス変更装置の要部構成を示す模式図であって、（ａ）はその側面図、（ｂ）は（ａ）におけるＦ矢視図である。
【図４】本発明の第２実施形態にかかる印刷機の紙パス変更装置の要部構成を示す模式図であって、（ａ）はその側面図、（ｂ）は（ａ）におけるＧ矢視図である。
【図５】本発明の第３実施形態にかかる印刷機の紙パス変更装置の要部構成を示す模式図であって、（ａ）はその上面図、（ｂ）はその側面図である。
【図６】本発明の第３実施形態にかかる印刷機の紙パス変更装置の機能，作用及び効果を説明するための図である。
【図７】本発明の第４実施形態にかかる印刷機の紙パス変更装置の要部構成を示す模式的な側面図である。
【図８】一般的な商業用オフセット輪転機にかかる従来の課題を説明するための図である。
【図９】一般的な商業用オフセット輪転機の全体の概略構成を説明する模式図である。
【符号の説明】
１  ウェブ
２，２ａ〜２ｎ  印刷装置
３  紙ガイド（ウェブ支持体）
４  ゴム
５  ダイヤ目
６，６ａ，６ｂ  ブランケット胴
７ａ，７ｂ  印刷機フレーム（側壁）
８  ブラケット
９  軸受け
１０ａ  支点軸
１１ａ  アーム
１２  モータ（アクチュエータ）
１３  ストッパ
１４  ウェブ供給装置
１５  ロールスタンド
１６  インフィード装置
１７  冷却装置
１８  ウェブパス装置
１９  折機
２０，２０ａ  エアシリンダ（アクチュエータ）
２１ａ  レール
２２ａ  移動ブロック
２３  紙ガイド（ウェブ支持体）
２４  制御装置（制御手段）
２５  ウェブ搬送装置（ウェブ移送手段）
２６  モータ
２７  駆動ローラ
２８  押さえローラ
２９  軸受け
３０  乾燥装置
３１  クラッチ
３２  駆動シャフト
３３  巻取り紙
３４  排紙装置
３５  版胴
３６  刷版
３８  経路変更手段
Ｍ  モータ
Ｓ  ブランケット胴間隙間
【図１】
0004544722.tif 000002
【図２】
0004544722.tif 000003
【図３】
0004544722.tif 000004
【図４】
0004544722.tif 000005
【図５】
0004544722.tif 000006
【図６】
0004544722.tif 000007
【図７】
0004544722.tif 000008
【図８】
0004544722.tif 000009
【図９】
0004544722.tif 000010